(57)【要約】【課題】  軒先取付部に、クギ等の取付具が簡単に取付けることができる軒樋吊具を提供することを目的とする。【解決手段】  軒先取付部１と、この軒先取付部１から屋外側に突出された軒樋支持腕２と、この軒樋支持腕２の先端に設けられた屋外側耳保持部２１と、この屋外側耳保持部２１より屋内側に設けられた屋内側耳保持部２２とからなる軒樋吊具Ａにおいて、  この軒先取付部１には、軒樋支持腕２を挟んだ両側に左右１個づつ表面から裏面に貫通された上部取付孔１１が設けられ、この左右の上部取付孔１１のいずれか一方の下方位置に配設されるよう下部取付孔１２が設けられている。【選択図】      図２  
2005336836.tif 000002
【特許請求の範囲】
【請求項１】
軒先取付部と、この軒先取付部から屋外側に突出された軒樋支持腕と、この軒樋支持腕の先端に設けられた屋外側耳保持部と、この屋外側耳保持部より屋内側に設けられた屋内側耳保持部とからなる軒樋吊具において、
前記軒先取付部には、軒樋支持腕を挟んだ両側に左右１個づつ表面から裏面に貫通された上部取付孔が設けられ、この左右のいずれか一方の上部取付孔の下方位置に下部取付孔が設けられていることを特徴とする軒樋吊具。
【発明の詳細な説明】
【技術分野】
【０００１】
本発明は、軒先に取着固定されて軒樋を保持する軒樋吊具に関する。
【背景技術】
【０００２】
従来、軒樋吊具としては、特許文献１〜２に記載されているような軒樋吊具が知られている。
特許文献１の軒樋吊具としては、図５に示すように、軒先取付部ａには軒樋支持腕ｂを挟んだ両側に左右１個づつ表面から裏面に貫通された上部取付孔ｃと、中央部下端部に１個の丸形状の下部取付孔ｄが設けられたものである。これら取付け孔は、図６（ａ）に示すように、左右対称に三角状に配設されたものである。
【０００３】
また、特許文献２の軒樋吊具としては、軒先取付部には軒樋支持腕を挟んだ両側に取付孔が２個づつ上下に並設されたものであり、例えば、図６（ｂ）に示すように、左右上下に対称に上部取付孔ｅと下部取付孔ｆとが四角状に配設されたものである。
【特許文献１】特開平９−３０２８７０号公報
【特許文献２】特開平１０−２２７１０７号公報
【発明の開示】
【発明が解決しようとする課題】
【０００４】
しかしながら、上記の特許文献１に記載の軒樋吊具では、取付孔が左右対称の三角配列であるため、軒樋吊具を鼻隠し板に取付ける際に、軒樋支持腕の下側縁が邪魔になって下部取付孔にクギ等の固定具を打ち付ける作業が困難である。
また、特許文献２に記載の軒樋吊具では、クギ等の取付具の打ち込み箇所が４箇所と多すぎて、取付けに時間がかかるという問題がある。
【０００５】
本発明の目的は、上記問題に着目してなされたもので、軒先取付部に、クギ等の固定具を簡単に取付けることができる軒樋吊具を提供するものである。
【課題を解決するための手段】
【０００６】
本発明は上記の目的を達成するためになされたもので、軒先取付部と、この軒先取付部から屋外側に突出された軒樋支持腕と、この軒樋支持腕の先端に設けられた屋外側耳保持部と、この屋外側耳保持部より屋内側に設けられた屋内側耳保持部とからなる軒樋吊具において、前記軒先取付部には、軒樋支持腕を挟んだ両側に左右１個づつ表面から裏面に貫通された上部取付孔が設けられ、この左右の上部取付孔のいずれか一方の下方位置に配設されるよう下部取付孔が設けられている。
【０００７】
本発明の軒樋吊具の材質は、合成樹脂、金属が使用されるが、軽量、防錆の点で合成樹脂がよく、合成樹脂の中でも、可撓性の点で、ポリカ−ボネ−ト樹脂が好ましい。
本発明の軒樋吊具は射出成形法で製造すると、屋外側耳保持部、軒樋支持腕及び軒先取付部が一体成形できるので、好ましい。
【発明の効果】
【０００８】
以上、説明してきたように、本発明の軒樋吊具では、軒先取付部に、軒樋支持腕を挟んだ両側に左右１個づつ表面から裏面に貫通された上部取付孔が設けられ、この左右の上部取付孔のいずれか一方の下方位置に配設されるよう下部取付孔が設けられているから、軒樋支持腕の真下を避けて、下部取付孔に鼻隠し板に打ち込むことができるので、施工性が向上する。
【発明を実施するための最良の形態】
【０００９】
本発明の一実施例を図１及び図２に基づいて説明する。
図１は本発明軒樋吊具の側面図、図２は本発明軒樋吊具の軒先取付部を裏側から見た背面図、図３は本発明軒樋吊具の軒先取付部の他の実施例を示す背面図、図４は本発明軒樋吊具を使用した状態を説明する側面図である。
【００１０】
図１に示すように、Ａはポリカ−ボネ−ト樹脂製の軒樋吊具であり、この軒樋吊具Ａは軒先取付部１と軒樋支持腕２とからなり、射出成形法で一体に作られている。
【００１１】
軒先取付部１は左下部側が切り欠きされた矩形状の板体で、軒樋支持腕２を挟んだ上部両側に左右１個づつ表面から裏面に貫通された上部取付孔１１、１１と、右側の上部取付孔１１の真下である下方位置に１個の下部取付孔１２が設けられている。
【００１２】
軒樋支持腕２は棒状体で、軒先取付部１のほぼ中央上端部より、屋外側に向けて突出されている。そして、軒樋支持腕２の屋外側に屋外側耳保持部２１と屋内側に屋内側耳保持部２２が設けられている。
屋外側耳保持部２１は、軒樋支持腕２の先端が上向きに突出されたものである。
屋内側耳保持部２２は、軒樋支持腕２から屋内側に突出された耳受部１３と、軒樋支持腕２の取付基部２０の下側に突出された耳押圧部１４とからなり、耳受部１３で軒樋の屋内側耳部の下部を支持し、突出された耳押圧部１４で押圧するようになされている。
【００１３】
なお、軒樋支持腕２の取付基部が上部取付孔１１、１１と下部取付孔１２との点対称の中心となる位置に配置されていると、軒樋が取り付けられて使用される場合、上部取付孔１１、１１と下部取付孔１２に差し込まれて固定するクギ等の固定具に均等に負荷がかかるので、固定具に対して強度を確保できる。
【００１４】
次に、軒樋吊具Ａの施工方法及び作用について説明する。
軒先に、軒樋吊具Ａの取付位置をきめる。
次に、軒先取付部１の右側の上部取付孔１１にクギ４を差し込んで、クギ４を鼻隠し板６に打ち込み、軒先取付部１の左側の上部取付孔１１にクギ４を差し込んで、クギ４を鼻隠し板６に打ち込む。続いて、下部取付孔１２にクギ５を差し込んで、鼻隠し板６に打ち込む。
【００１５】
このとき、軒樋支持腕２の真下を避けて、下部取付孔１２にクギ５を差し込んで、鼻隠し板６に打ち込む作業となるので、施工性が向上する。
【００１６】
最後に、この軒先取付部１のほぼ中央上端部より、屋外側に向けて突出している軒樋支持腕２の屋外側耳保持部２１に、軒樋３の屋外側耳部３１を嵌め込む。
次に、軒樋支持腕２の屋内側耳保持部２２に、軒樋の屋内側耳部３２を差し込む。
【００１７】
以上、本発明実施例を図面に基づいて説明してきたが、具体的な構成はこの実施例の限られるものではなく本発明の要旨を逸脱しない範囲の設計変更等があっても本発明に含まれる。
【００１８】
例えば、上記実施例においては上部取付孔１１は丸い小孔としたが、図３に示すように、クギ用の比較的小口径の取付孔１１ａとネジ用の比較的大口径の取付孔１１ｂとが一部分重なり合わさって、いわゆる「だるま形」に穿設されたものとしてもよい。
このように、「だるま形」に穿設された取付孔とすることにより、クギまたはネジの両方に対応することができ、２種類の軒樋吊具を用意する必要がない。
【図面の簡単な説明】
【００１９】
【図１】本発明軒樋吊具の側面図である。
【図２】本発明軒樋吊具の軒先取付部を裏側から見た背面図である。
【図３】本発明軒樋吊具の軒先取付部の他の実施例を示す背面図である。
【図４】本発明軒樋吊具を使用した状態を説明する側面図である。
【図５】従来例の軒樋吊具を説明する側面図である。
【図６】従来例の軒樋吊具における軒先取付部を裏側から見た背面図である。
【符号の説明】
【００２０】
Ａ                          軒樋吊具
１                          軒先取付部
１１                        上部取付孔
１２                        下部取付孔
１３                        耳受部
１４                        耳押圧部
２                          軒樋支持腕
２１                        屋外側耳保持部
２２                        屋内側耳保持部
３                          軒樋
３１                        屋外側耳部
３２                        屋内側耳部
４、５                      固形具（クギ）
６                          鼻隠し板
【図１】
2005336836.tif 000003
【図２】
2005336836.tif 000004
【図３】
2005336836.tif 000005
【図４】
2005336836.tif 000006
【図５】
2005336836.tif 000007
【図６】
2005336836.tif 000008